(57)【要約】【課題】ヘッドセットで通話しているときにヘッドセットが何らかのトラブルによって使用不能になっても、ユーザが携帯電話機を手に持って操作することを不要にできる携帯電話機を提供する。【解決手段】ハンズフリー通話するための音声入力手段及び音声出力手段と、ハンズフリー通話を可能にする外部機器と接続するインターフェースと、該インターフェースを介してハンズフリー通話を行っている際に、前記インターフェースを介した外部機器との接続に支障が生じた場合、当該インターフェースを介したハンズフリー通話から前記音声入力手段及び音声出力手段によるハンズフリー通話に変更する制御手段とを備える。【選択図】      図１
2007067742.tif 000002
【特許請求の範囲】
【請求項１】
ハンズフリー通話するための音声入力手段及び音声出力手段と、
ハンズフリー通話を可能にする外部機器と接続するインターフェースと、
該インターフェースを介してハンズフリー通話を行っている際に、前記インターフェースを介した外部機器との接続に支障が生じた場合、当該インターフェースを介したハンズフリー通話から前記音声入力手段及び音声出力手段によるハンズフリー通話に変更する制御手段と、
を備えた携帯電話機。
【請求項２】
前記制御手段は、前記インターフェースを介した外部機器との接続が回復した場合、前記音声入力手段及び音声出力手段によるハンズフリー通話から前記インターフェースを介したハンズフリー通話に再度変更することを特徴とする請求項１記載の携帯電話機。
【請求項３】
ハンズフリー通話を可能にする外部機器と接続するインターフェースと、
該インターフェースを介してハンズフリー通話を行っている際に、前記インターフェースを介した外部機器との接続に支障が生じた場合、当該通話を行っている相手方との通信回線を終話処理する制御手段と、
を備えた携帯電話機。
【請求項４】
前記制御手段は、前記インターフェースを介した外部機器との接続が回復した場合、前記通信回線を終話処理した相手先に対して発呼処理を行うことを特徴とする請求項３記載の携帯電話機。
【請求項５】
前記制御手段は、前記インターフェースを介した外部機器との接続が所定時間経過しても回復しない場合、以降の着信に対する通話処理を携帯電話機本体における通話処理に変更することを特徴とする請求項３記載の携帯電話機。
【請求項６】
ハンズフリー通話を可能にする外部機器と接続するインターフェースと、
該インターフェースを介してハンズフリー通話を行っている際に、前記インターフェースを介した外部機器との接続に支障が生じた場合、当該通話を行っている相手方との通話を保留する制御手段と、
を備えた携帯電話機。
【請求項７】
前記制御手段は、前記インターフェースを介した外部機器との接続が所定時間経過しても回復しない場合、前記保留している相手方との通信回線を終話処理することを特徴とする請求項６記載の携帯電話機。
【請求項８】
前記制御手段は、前記保留している相手方との通信回線を終話処理した後、以降の着信に対する通話処理を携帯電話機本体における通話処理に変更することを特徴とする請求項７記載の携帯電話機。
【請求項９】
ハンズフリー通話を可能にする外部機器と接続するインターフェースと、
該インターフェースを介したハンズフリー通話が可能な状態で着信を待受けている状態において、前記インターフェースを介した外部機器との接続に支障が生じた場合、以降の着信に対する通話処理を携帯電話機本体における通話処理に変更し、前記インターフェースを介した外部機器との接続が回復した場合、以降の着信に対する通話処理を前記インターフェースを介したハンズフリー通話に再度変更する制御手段と、
を備えた携帯電話機。
【発明の詳細な説明】
【技術分野】
【０００１】
本発明は、無線または有線により接続されるヘッドセットを使用して通話を行うことが可能な携帯電話機に関するものである。
【背景技術】
【０００２】
車の運転中に携帯電話機を手に持って通話を行うと、運転操作への集中が鈍って状況判断が遅くなり、交通事故を起こす可能性が高くなる。携帯電話を手に持つことなく通話を行う方法の一つとして、ヘッドセット（マイクロフォン付きヘッドフォン）を使う方法がある（例えば特許文献１を参照）。
【０００３】
ヘッドセットと携帯電話機との接続方法は、携帯電話機の接続端子にヘッドセットのケーブル端子を接続する有線方式と、音声を無線化して伝送する無線方式の２通りの方式がある。無線方式としては、例えばＢｌｕｅｔｏｏｔｈ、赤外線、ＦＭ変調などが用いられる。これらの無線方式では、通常、ヘッドセットにおいて無線通信の処理や音声の増幅などを行うための電源として電池が必要である。
【特許文献１】特開２００３−４７０６６号公報
【発明の開示】
【発明が解決しようとする課題】
【０００４】
ヘッドセットを使用して通話を行っていると、種々のトラブルによってヘッドセットが使用不能になることがある。例えば有線方式では、ヘッドセットのケーブル端子が携帯電話機の接続端子から外れたり、ケーブルが断線したりすることがある。また、無線方式では、携帯電話機とヘッドセットとの間に電波を遮断するものがある場合や、携帯電話機とヘッドセットの距離が長くなる場合などにおいて、無線通信が途切れることがある。更に、無線方式では、ヘッドセットの電池が消耗することによりヘッドセットが使用不能になることもある。
【０００５】
ヘッドセットで通話を行っているときに、上記のようなトラブルによってヘッドセットが使用不能になると、従来の携帯電話機では、通話モードが自動的にハンドセット・モードに切り替わることが一般的である。
【０００６】
図７は、従来の携帯電話機において、通話中にヘッドセットが使用不能になった場合の動作の一例を示すフローチャートである。
無線あるいは有線のヘッドセットを用いて通話しているときに終話ボタンが押されると、所定の終話処理が実行されて通話が終了する（ステップＳＴ１，ＳＴ２）。また、通話中にヘッドセットが使用不能になると（ステップＳＴ３）、通話モードはヘッドセット・モードからハンドセット・モードに切り替わる（ステップＳＴ４）。ハンドセット・モードでは、携帯電話機を手に持った状態でイヤースピーカとマイクロフォンにより通話を行う。ハンドセット・モードにおいて終話ボタンが押されると、所定の終話処理が実行されて通話が終了する（ステップＳＴ５，ＳＴ６）
【０００７】
ハンドセット・モードにおいて、ユーザは携帯電話機を手に持って通話しなければならない。そのため、ヘッドセットで通話を行っている途中でヘッドセットが使用不能になることにより突然ハンドセット・モードに切り替わると、通話を続けるためにユーザは携帯電話機を手に取らなければならない。すなわち、ユーザは、携帯電話機を直接手にとって通話を続けたり、外れたヘッドセットのケーブル端子を携帯電話機につなぎ直したり、携帯電話機のハンズフリー・ボタンを押してハンズフリー・モードに切り替えたりするなどの操作を強いられる。
これらの操作を車の運転中に行うと、運転操作への集中が大いに妨げられるという問題がある。
【０００８】
他方、ヘッドセットを用いた運転中の通話において上述のようなハンドセット・モードへの切替えが生じたとき、ユーザが運転操作を優先して携帯電話機を放置する（例えば停車する場所を探して運転を続ける）と、通話相手は事情を知らないまま会話を中断されてしまうという不都合が生じる。
【０００９】
本発明はかかる事情に鑑みてなされたものであり、その目的は、ヘッドセットで通話しているときにヘッドセットが何らかのトラブルによって使用不能になっても、ユーザが携帯電話機を手に持って操作することを不要にできる携帯電話機を提供することにある。
【課題を解決するための手段】
【００１０】
本発明の第１の観点の携帯電話機は、ハンズフリー通話するための音声入力手段及び音声出力手段と、ハンズフリー通話を可能にする外部機器と接続するインターフェースと、該インターフェースを介してハンズフリー通話を行っている際に、前記インターフェースを介した外部機器との接続に支障が生じた場合、当該インターフェースを介したハンズフリー通話から前記音声入力手段及び音声出力手段によるハンズフリー通話に変更する制御手段とを備える。
【００１１】
前記制御手段は、前記インターフェースを介した外部機器との接続が回復した場合、前記音声入力手段及び音声出力手段によるハンズフリー通話から前記インターフェースを介したハンズフリー通話に再度変更することを特徴とする。
【００１２】
本発明の第２の観点の携帯電話機は、ハンズフリー通話を可能にする外部機器と接続するインターフェースと、該インターフェースを介してハンズフリー通話を行っている際に、前記インターフェースを介した外部機器との接続に支障が生じた場合、当該通話を行っている相手方との通信回線を終話処理する制御手段とを備える。
【００１３】
前記制御手段は、前記インターフェースを介した外部機器との接続が回復した場合、前記通信回線を終話処理した相手先に対して発呼処理を行うことを特徴とする。
【００１４】
前記制御手段は、前記インターフェースを介した外部機器との接続が所定時間経過しても回復しない場合、以降の着信に対する通話処理を携帯電話機本体における通話処理に変更することを特徴とする。
【００１５】
本発明の第３の観点の携帯電話機は、ハンズフリー通話を可能にする外部機器と接続するインターフェースと、該インターフェースを介してハンズフリー通話を行っている際に、前記インターフェースを介した外部機器との接続に支障が生じた場合、当該通話を行っている相手方との通話を保留する制御手段とを備える。
【００１６】
前記制御手段は、前記インターフェースを介した外部機器との接続が所定時間経過しても回復しない場合、前記保留している相手方との通信回線を終話処理することを特徴とする。
【００１７】
前記制御手段は、前記保留している相手方との通信回線を終話処理した後、以降の着信に対する通話処理を携帯電話機本体における通話処理に変更することを特徴とする。
【００１８】
本発明の第４の観点の携帯電話機は、ハンズフリー通話を可能にする外部機器と接続するインターフェースと、該インターフェースを介したハンズフリー通話が可能な状態で着信を待受けている状態において、前記インターフェースを介した外部機器との接続に支障が生じた場合、以降の着信に対する通話処理を携帯電話機本体における通話処理に変更し、前記インターフェースを介した外部機器との接続が回復した場合、以降の着信に対する通話処理を前記インターフェースを介したハンズフリー通話に再度変更する制御手段とを備える。
【発明の効果】
【００１９】
本発明によれば、ヘッドセットで通話しているときにヘッドセットが何らかのトラブルによって使用不能になっても、ユーザが携帯電話機を手に持って何かしらの操作をしなくても通話を続けることができる。
【発明を実施するための最良の形態】
【００２０】
以下、本発明の５つの実施形態について、図面を参照して説明する。
【００２１】
＜第１の実施形態＞
図１は本発明の実施形態に携帯電話機の構成の一例を示す図である。
図１に示す携帯電話機１００は、表示部１０１と、入力部１０２と、ヘッドセット通信部１０３と、ヘッドセット２００との通信に用いるアンテナ１０４と、音声処理部１０５と、拡声スピーカ１０６と、イヤースピーカ１０７と、マイクロフォン１０８と、通信部１０９と、基地局３００との通信に用いるアンテナ１１０と、メモリ１１１と、運転状態検出部１１２と、制御部１１３とを有する。
【００２２】
表示部１０１は、例えば液晶ディスプレイ装置などの表示装置を有しており、制御部１１３から供給される画像信号に応じた画像を表示する。
【００２３】
入力部１０２は、ユーザからの指示や各種の情報を入力する。例えば、数字キー、文字キー、矢印キー、決定キーなど、各種の機能を持ったキーを有しており、これらのキーがユーザによって操作された場合に、その操作内容を制御部１１３に通知する。
【００２４】
ヘッドセット通信部１０３は、アンテナ１０４において電波の送受信を行うことにより、ヘッドセット２００と無線通信を行い、音声信号や制御信号などを送受信するインターフェースである。
すなわち、ヘッドセット通信部１０３は、ヘッドセット２００のイヤホンに供給する音声信号を音声処理部１０５から入力し、無線通信によってヘッドセット２００に送信する。また、例えばヘッドセット２００と携帯電話機との接続を調べるための確認信号などの各種の制御信号を制御部１１３から入力し、無線通信によってヘッドセット２００に送信する。
更に、ヘッドセット通信部１０３は、ヘッドセット２００のマイクロフォンにおいて生成される音声信号を無線通信によってヘッドセット２００から受信し、音声処理部１０５へ出力する。また、ヘッドセット２００に装備される操作キーによって入力されたコマンドや、上述の確認信号に対する返答信号など、ヘッドセット２００において生成される各種の制御信号を無線通信によってヘッドセット２００から受信し、制御部１１３に出力する。
【００２５】
音声処理部１０５は、拡声スピーカ１０６、イヤースピーカ１０７、マイクロフォン１０８において入出力される音声信号を処理する。
すなわち、音声処理部１０５は、マイクロフォン１０８から入力される音声信号に増幅、アナログ−デジタル変換、符号化等の信号処理を施し、デジタルの音声信号に変換して、通信部１０９から送信する。また、通信部１０９において受信される通話相手の音声信号に復号、デジタル−アナログ変換、増幅等の信号処理を施し、アナログの音声信号に変換して拡声スピーカ１０６やイヤースピーカ１０７に出力する。
【００２６】
また、音声処理部１０５は、ヘッドセットにより通話を行う場合、ヘッドセット２００において入出力される音声信号を処理する。
すなわち、ヘッドセット通信部１０３において受信されるヘッドセット２００からの音声信号に所定の信号処理を施して、通信部１０９から送信する。また、通信部１０９において受信される通話相手の音声信号に所定の信号処理を施して、ヘッドセット通信部１０３から送信する。
【００２７】
拡声スピーカ１０６およびイヤースピーカ１０７は、音声処理部１０５から供給される音声信号に応じた音をそれぞれ出力する。
拡声スピーカ１０６は、比較的大きな音量の音を出力ために使用される。例えば電話の着信音や、ハンズフリー通話時における通話相手の音声を出力するために使用される。
イヤースピーカ１０７は、比較的小さな音量の音を出力するために使用される。例えば、ハンドセット通話時にユーザの耳元で通話相手の音声を出力するために使用される。なお、拡声スピーカ１０６およびイヤースピーカ１０７は兼用されて構成されていても良い。
【００２８】
マイクロフォン１０８は、周囲で発生する音を収集し、音声信号に変換して音声処理部１０５に出力する。
マイクロフォン１０８は、主としてハンズフリー通話やハンドセット通話時においてユーザの音声を入力するために用いられる。
【００２９】
通信部１０９は、アンテナ１１０において電波の送受信を行うことにより基地局３００と無線通信を行い、不図示の通信網を介して他の電話機と通話音声の送受信を行う。
【００３０】
メモリ１１１は、制御部１１３の処理で利用される各種のデータや、制御部１１３の処理結果のデータを記憶する。例えば、制御部１１３のコンピュータ・プログラム、その処理に用いる定数データ、処理過程で一時的に記憶する変数データ、電話番号、電子メールのアドレス、ユーザが入力した各種のデータ（メモ、スケジュールなど）を記憶する。
【００３１】
また、メモリ１１１は、現在の通話モードに関する情報や、通話モードの切替えを音声により通知する際に用いる音声データなどを記憶する。
【００３２】
運転状態検出部１１２は、携帯電話機のユーザが車の運転中であること、若しくは乗車中であることに関連する携帯電話機の状態を検出する。
【００３３】
例えば運転状態検出部１１２は、携帯電話機に加えられる加速度を検出する加速度センサを有する。車の運転によって生じる加速を加速度センサにおいて検出することにより、ユーザが車の運転中であることを検出する。また、単にユーザによりドライブ通話モード（規則に従って運転中に通話をするモード。例えば、ハンズフリーやヘッドセットを用いて通話を行うことを前提としたモード）などの状態に設定されたことを検出するものでも良い。
【００３４】
また、運転状態検出部１１２は、ＲＦＩＤタグ（radio frequency identification tag）などの無線チップから近距離通信により情報を読み取る装置（リーダ装置）を有しても良い。この場合、所定の入力が書き込まれた無線チップを予め車に取り付けておくことにより、リーダ装置で読み取った無線チップの情報に基づいて、ユーザが乗車中であることを検出する。
【００３５】
あるいは、運転状態検出部１１２は、所定のヘッドセットが接続されたことを検出するヘッドセット検出部を有しても良い。この場合、車に装備される所定のヘッドセットをヘッドセット検出部において検出することにより、ユーザが乗車中であることを検出する。
ヘッドセットの検出は、例えば、ヘッドセット２００から無線通信によって送られてくる型式情報やＩＤ情報などに基づいて行う。
【００３６】
また、運転状態検出部１１２は、所定時間内におけるハンドオフ回数を計数するハンドオフ回数計数部を有しても良い。この場合、携帯電話機が高速に移動するとハンドオフが頻繁に発生することを利用して、ユーザが車の運転中であることを検出する。
【００３７】
更に別の例として、運転状態検出部１１２は、ＧＰＳ（global positioning system）などにより現在地の地理的な位置を示す情報を取得し、取得した情報が示す位置の時間的な変化に基づいて携帯電話機の移動速度を検出する移動速度検出部を有しても良い。車の運転によって携帯電話機の移動速度が高速になることにより、ユーザが車を運転していることを検出する。
【００３８】
制御部１１３は、携帯電話機の全体的な動作を制御する。
すなわち、表示部１０１における画像の表示、ヘッドセット通信部１０３におけるヘッドセット２００との通信、音声処理部１０５における音声信号の処理、通信部１０９における基地局３００との通信などが所定の手順に従って適切に実行されるように、これらのユニットの統括的な制御を行う。
【００３９】
制御部１１３は、ヘッドセット２００が使用可能か否かを判定する。
【００４０】
ヘッドセット２００が使用不能になる（接続に支障が生じる）場合には、例えば、携帯電話機１００とヘッドセット２００との間に電波を遮断するものがあるために無線通信を行えなくなる場合や、携帯電話機１００とヘッドセット２００との距離が離れて電波が弱まることにより無線通信を行えなくなる場合、電池の消耗によってヘッドセット２００が動作しなくなる場合などが含まれる。
制御部１１３は、例えば、ヘッドセット通信部１０３がヘッドセット２００へ定期的に送信する確認信号に対しヘッドセット２００からの返答がない場合に、ヘッドセット２００が使用不能であると判定する。
また、制御部１１３は、電池残量の減少によって動作を停止させる旨の通知信号をヘッドセット２００から受信した場合に、ヘッドセット２００が使用不能であると判定しても良い。
【００４１】
制御部１１３は、運転状態検出部１１２の検出結果に基づいて、携帯電話機のユーザが車の運転中か否かを判定する。
【００４２】
運転状態検出部１１２が加速度センサを有する場合、制御部１１３は、加速度センサの検出結果に基づいて判定を行う。例えば、加速度センサの検出値が所定のしきい値を超える場合に、ユーザが車の運転を行っていると判定する。また、所定時間内に加速度センサの検出値が所定のしきい値を超える回数を計数し、その計数値が所定回数より多い場合にユーザが車の運転を行っていると判定しても良い。
【００４３】
運転状態検出部１１２が無線チップのリーダ装置を有する場合、制御部１１３は、このリーダ装置で読み取られた無線チップの情報に基づいて判定を行う。すなわち、リーダ装置で読み取られた情報が、車に取り付けられる所定の無線チップの情報である場合、ユーザが車を運転していると判定する。
【００４４】
運転状態検出部１１２が上述のヘッドセット検出部を有する場合、制御部１１３は、このヘッドセット検出部の検出結果に基づいて判定を行う。すなわち、ヘッドセット検出部によって、車に装備される所定のヘッドセットの接続が検出された場合に、ユーザが車を運転していると判定する。
【００４５】
運転状態検出部１１２が上述のハンドオフ回数計数部を有する場合、制御部１１３は、ハンドオフ回数計数部によって計数された所定時間内のハンドオフ回数に基づいて判定を行う。例えば、所定時間内のハンドオフ回数が所定数を超えた場合に、ユーザが車の運転中であると判定する。
【００４６】
運転状態検出部１１２が上述の移動速度検出部を有する場合、制御部１１３は、移動速度検出部によって検出された移動速度に基づいて判定を行う。例えば、検出された移動速度が所定値を超えた場合、ユーザが車の運転中であると判定する。
【００４７】
また、運転状態検出部１１２がユーザによりドライブ通話モードなどの状態に設定されたことを検出するものの場合、制御部１１３は、ドライブ通話モード中においてはユーザが車の運転中であると判定する。
【００４８】
制御部１１３は、通話モードの切替えなど、通話状態の制御に関する種々の処理を行う。
【００４９】
本実施形態に係る携帯電話機は、４つの通話モード（ヘッドセット・モード、ハンドセット・モード、ハンズフリー・モード、ドライブ・モード）を有する（通話処理）。
ヘッドセット・モードは、ヘッドセットを使用して通話を行うモード（通話処理）である。
ハンドセット・モードは、携帯電話機本体によるハンドセット通話を行うモード（通話処理）である。ハンドセット通話は、ユーザが携帯電話機を手に取って行う通話であり、携帯電話機１００に装備される小音量のイヤースピーカ１０７が音声の出力に使用される。
ハンズフリー・モードは、携帯電話機本体によるハンズフリー通話を行うモード（通話処理）である。ハンズフリー通話は、ユーザが携帯電話機に触れずに行うことが可能な通話であり、携帯電話機１００に装備される大音量の拡声スピーカ１０６が音声の出力に使用される。また、マイクロフォン１０８の感度もハンズフリー通話のために上げられる。
ドライブ・モードは、携帯電話機本体による通話処理であって、着信相手に通話ができない旨を通知するモード（通話処理）である。例えば着信があった場合に、「ただいま車の運手中のため、電話を取ることができません。恐れ入りますがおかけ直しください」といった音声を流して、着信相手に通話ができないことを知らせる。
【００５０】
制御部１１３は、上述したヘッドセット・モードでの通話中に、制御部１１３においてヘッドセット２００が使用不能と判定された場合、通話モードを上述したハンズフリー・モードに切り替える。
【００５１】
また、制御部１１３は、ヘッドセット・モードでの通話中に制御部１１３においてヘッドセット２００が使用不能と判定された後、制御部１１３においてヘッドセット２００が再び使用可能になったと判定されると、通話モードを再びヘッドセット・モードに切り替える。
【００５２】
ただし、制御部１１３は、制御部１１３の判定結果に応じて行う上記の通話モードの自動切替えを、ユーザが車を運転している場合に限って行う。
例えば、制御部１１３は、制御部１１３において運転中と判定されることを条件に、通話モードの自動切替えを行う。制御部１１３において運転中でないと判定される場合は、制御部１１３の判定結果によらず通話モードの自動切替えを行わない。
また別の例として、制御部１１３は、ユーザが車の運転中であることを示す所定の入力が入力部１０２において行われていたことを条件に、通話モードの自動切替えを行っても良い。例えば、入力部１０２に運転中を示す所定のボタンが設けられている場合、制御部１１３は、その所定のボタンが押されていたことを条件に、上述した通話モードの自動切替えを行う。所定のボタンが押されていない場合は、制御部１１３によらず通話モードの自動切替えは行わない。
あるいは、制御部１１３は、制御部１１３の判定結果と、入力部１０２に入力される所定の入力の両方を加味して、通話モードの自動切替えを行うか否かを決定しても良い。例えば、入力部１０２に所定の入力が行われていない場合でも、制御部１１３の判定結果において運転中と判定される場合は、通話モードの自動切替えを行っても良い。
【００５３】
また、制御部１１３は、制御部１１３の判定結果に応じて通話モードを切り替える場合、通話モードの切替えに関する所定の音声を拡声スピーカ１０６から出力する。
【００５４】
ここで、上述した構成を有する本実施形態に係る携帯電話機の動作について、図２に示すフローチャートを参照して説明する。
【００５５】
制御部１１３は、ヘッドセット・モードにおいて通話を行っているとき、入力部１０２に設けられた所定の終話ボタンの押下を監視する（ステップＳＴ１０１）。終話ボタンが押下されると、制御部１１３は所定の終話処理を実行して通話を終了する（ステップＳＴ１０２）。
【００５６】
また、制御部１１３は、ヘッドセット・モードにおいて通話を行っているとき、制御部１１３において運転中と判定されるならば、ヘッドセット２００の使用可能状態の判定結果を監視する（ステップＳＴ１０３）。
ヘッドセット２００が使用不能になったと制御部１１３が判定すると、制御部１１３は通話モードをハンズフリー・モードに切り替える（ステップＳＴ１０４）。このとき制御部１１３は、メモリ１１１から所定の音声データを読み出して音声処理部１０５に供給し、通話モードをハンズフリー・モードに変更する旨の音声を拡声スピーカ１０６から出力する（ステップＳＴ１０５）。これにより、例えば「ヘッドセットが外れましたのでハンズフリー・モードに切り替えます。」といった通話モードの切替えアナウンスが拡声スピーカ１０６から出力される。
【００５７】
通話モードをヘッドセット・モードからハンズフリー・モードへ切り替えた後も、通話は続行される。
ハンズフリー・モードにおいて通話を行っているとき、制御部１１３は、入力部１０２の終話ボタンの押下を監視する（ステップＳＴ１０６）。終話ボタンが押下されると、制御部１１３は所定の終話処理を実行して通話を終了する（ステップＳＴ１０７）。
【００５８】
また、制御部１１３は、ハンズフリー・モードにおいて通話を行っているとき、制御部１１３において運転中と判定されるならば、ヘッドセット２００の使用可能状態の判定結果を監視する（ステップＳＴ１０８）。
ヘッドセット２００が使用可能（接続回復）になったと制御部１１３が判定すると、制御部１１３は通話モードをヘッドセット・モードに切り替える（ステップＳＴ１０９）。このとき制御部１１３は、通話モードをヘッドセット・モードに戻すことをユーザに通知するための所定の音声データをメモリ１１１から読み出し、音声処理部１０５において処理し、拡声スピーカ１０６から出力する（ステップＳＴ１１０）。例えば「ヘッドセットとの通信が回復しましたので、ヘッドセット・モードに切り替えます。」といった通話モードの切替えアナウンスを拡声スピーカ１０６から出力する。
【００５９】
ヘッドセット・モードに戻ると、制御部１１３は引き続き終話ボタンの押下や制御部１１３の判定結果を監視し、上記の処理を繰り返す。
【００６０】
以上説明したように、本実施形態に係る携帯電話機によれば、ヘッドセット・モードで通話しているときに何らかのトラブルによってヘッドセット２００が使用不能になると、通話モードが自動的にハンズフリー・モードに切り替えられるため、ユーザは携帯電話機を直接手で操作することなくスムーズに通話を続けることができる。すなわち、運転時における携帯電話機の操作を不要にすることで安全性を確保しつつ、ハンズフリー通話によって快適に会話を続けることができる。
【００６１】
また、本実施形態に係る携帯電話機によれば、ヘッドセット・モードでの通話中に制御部１１３においてヘッドセット２００が使用不能と判定された後、制御部２００においてヘッドセットが再び使用可能になったと判定されると、通話モードがヘッドセット・モードに自動的に切り替わる。
これにより、ユーザがハンズフリー・モードにおいて着信を取り忘れてしまうことを防ぐことができる。
また、ヘッドセット２００が使用可能な状態に復帰したとき、携帯電話機に触れることなく自動的に通話を再開できる。特に、一時的な通信の不良である場合は、いちいち車を停車させて手動によりハンズフリー・モードからヘッドセット・モードに設定し直す手間を省くことができるため、利便性が向上する。
【００６２】
更に、本実施形態に係る携帯電話機によれば、制御部１１３の判定結果に応じて通話モードが切り替わると、通話モードの切替えを通知する所定の音声が拡声スピーカ１０６から出力される。
これにより、ユーザは通話モードの切り替わりを明確に把握することができるため、通話モードの変更に戸惑うことなく会話を続けることができる。
【００６３】
なお、本実施形態に係る携帯電話機において、制御部１１３は、ヘッドセット・モードでの通話中に制御部１１３においてヘッドセット２００が使用不能と判定された場合、ヘッドセット２００が使用不能になったことに関する所定の通知を通話相手に送信しても良い。例えば、「ヘッドセットが外れました。」といった音声のメッセージを通話相手にも送って良い。これにより、通話相手も状況を明確に把握できる。
【００６４】
また、本実施形態に係る携帯電話機によれば、制御部１１３において運転中と判定される場合や、入力部１０２において運転中を示す所定の入力が入力されていることを条件として、通話モードの自動切替えが行われる。
これにより、車の運転を行っていないときに、ユーザの意図に反して自動的に通話モードが切り替わることを回避できる。
【００６５】
＜第２の実施形態＞
次に、本発明の第２の実施形態について説明する。
第１の実施形態に係る上述の携帯電話機では、ヘッドセットが使用不能になると自動的にハンズフリー・モードに切り替わる。これに対し、本実施形態に係る携帯電話機では、ヘッドセットが使用不能になると自動的に通話が終了する。
【００６６】
本実施形態に係る携帯電話機は、先に説明した第１の実施形態に係る携帯電話機と同様の構成を有しており、両者の違いは制御部１１３の動作にある。そのため、以下では本実施形態に係る制御部１１３についてのみ説明する。
【００６７】
制御部１１３は、ヘッドセット・モードでの通話中に制御部１１３においてヘッドセット２００が使用不能と判定された場合、通話を終了する。
【００６８】
また、制御部１１３は、制御部１１３においてヘッドセット２００が使用不能と判定されたことにより通話を終了した後、制御部１１３においてヘッドセット２００が再び使用可能になったと判定されると、当該終了した通話相手に対して発呼する。
例えば、通話相手の電話番号をメモリ１１１に保存しておき、制御部１１３は、制御部１１３においてヘッドセット２００が使用不能と判定された場合、通話を終了する。制御部１１３においてヘッドセット２００が再び使用可能になったと判定されると、制御部１１３はメモリ１１１に保存した通話相手の電話番号を読み出して、その番号に電話をかける。
【００６９】
ただし、制御部１１３は、制御部１１３の判定結果に応じて行う通話の自動終了や自動発呼を、ユーザが車の運転中である場合に限って行う方が好ましい。
ユーザが車の運転中であるか否かの判断方法は、先に説明した第１の実施形態に係る制御部１１３と同様である。
例えば、制御部１１３において車の運転が行われていると判定される場合や、ユーザが車の運転中であることを示す所定の入力が入力部１０２に入力されている場合、制御部１１３は車の運転が行われていると判断して、制御部１１３の判定結果に応じた通話の自動終了や自動発呼を行う。
【００７０】
更に、制御部１１３は、ヘッドセット・モードでの通話中に制御部１１３においてヘッドセット２００が使用不能と判定された場合、ヘッドセット２００が使用不能になったことに関する所定の通知を通話相手に送信する。
【００７１】
また、制御部１１３は、ヘッドセット２００の使用可能状態の判定結果に応じて通話を終了する場合、通話の終了を通知する所定の音声を拡声スピーカ１０６から出力する。
【００７２】
ここで、上述した構成を有する本実施形態に係る携帯電話機の動作について、図３に示すフローチャートを参照して説明する。
【００７３】
制御部１１３は、ヘッドセット・モードにおいて通話を行っているとき、入力部１０２に設けられた所定の終話ボタンの押下を監視する（ステップＳＴ２０１）。終話ボタンが押下されると、制御部１１３は所定の終話処理を実行して通話を終了する（ステップＳＴ２０２）。
【００７４】
また、制御部１１３は、ヘッドセット・モードにおいて通話を行っているとき、制御部１１３において運転中と判定されるならば、ヘッドセット２００の使用可能状態の判定結果を監視する（ステップＳＴ２０３）。
【００７５】
ヘッドセット２００が使用不能になったと制御部１１３が判定すると、制御部１１３は、通話相手の電話番号をメモリ１１１に保存しているか否かを確認する（ステップＳＴ２０４）。
また、制御部１１３は、通話相手に終話を通知するための所定の音声データをメモリ１１１から読み出し、通信部１０９から通話相手へ送信する（ステップＳＴ２０５）。これにより、例えば「ヘッドセットが外れましたので通話を終了します。後ほどお電話ください。」、「ヘッドセットが外れましたので通話を終了します。改めてお電話致します。」といったアナウンスが通話相手に対してなされる。
更に、制御部１１３は、ユーザに終話を通知するための所定の音声データをメモリ１１１から読み出し、音声処理部１０５において処理し、拡声スピーカ１０６から出力する（ステップＳＴ２０６）。これにより、例えば「ヘッドセットが外れましたので通話を終了します。」といったアナウンスが拡声スピーカ１０６から出力される。
そして、制御部１１３は、所定の終話処理を実行して通話を終了する（ステップＳＴ２０７）。
【００７６】
通話を終了した後、制御部１１３は、制御部１１３において運転中と判定されるならば、ヘッドセット２００の使用可能状態の判定結果を監視する（ステップＳＴ２０８）。
ヘッドセット２００が使用可能（接続回復）になったと制御部１１３が判定すると、制御部１１３は、ステップＳＴ２０７において終話した通話相手の電話番号がメモリ１１１に保存されているか確認し（ステップＳＴ２１２）、保存されていればその番号に電話をかける（ＳＴ２１３）。この呼び出しに応答して相手が電話をとれば、再びヘッドセット・モードの通話が始まり、上述の処理が繰り返される。なお、こちらから電話をかけたのであれば、発信履歴として、相手が電話をかけたのであれば着信履歴として通話相手の電話番号若しくはIPアドレスなど相手先の情報が記録されている。
【００７７】
他方、発信者が電話番号を非通知にしていたために通話相手の電話番号がメモリ１１１に保存されていない場合（ステップＳＴ２１２）や、ステップＳＴ２０７において終話してから一定時間経過した場合（ステップＳＴ２０９）、制御部１１３は、通話モードを例えばドライブ・モードまたはハンズフリー・モードに切り替える（ステップＳＴ２１０）。この理由としては、外部機器（ヘッドセット２００）との接続に支障が生じている状態で着信の待受け状態になっている（設定されたままの状態）ため、この状態で着信が生じた場合でも外部機器（ヘッドセット２００）を用いた着信報知、着信応答、通話モードになっている。そのため、これ以降の着信に対してユーザが着信を認識できなくなるので、ここで外部機器（ヘッドセット２００）との接続が回復しなければ、これ以降の着信に対する通話モードを携帯電話機本体における通話モード（ドライブ・モードのように着信に自動応答して音声メッセージを出力する通話も含む）に変更する必要があるからである。
そして、通話モードの切替えをユーザに通知するための所定の音声データをメモリ１１１から読み出し、音声処理部１０５において処理し、拡声スピーカ１０６から出力する（ステップＳＴ２１１）。
【００７８】
以上説明したように、本実施形態に係る携帯電話機によれば、ヘッドセット・モードでの通話中に制御部１１３においてヘッドセット２００が使用不能と判定された場合、通話が自動的に終了するため、ユーザが携帯電話機を直接手で操作することを未然に防ぐことができる。
【００７９】
また、本実施形態に係る携帯電話機によれば、制御部１１３においてヘッドセット２００が使用不能と判定されたことにより通話を終了した後、制御部１１３においてヘッドセット２００が再び使用可能になったと判定されると、当該終了した通話相手に対して自動的に発呼が行われるため、ユーザが携帯電話機を直接手で操作することなく、自動的に通話を再開することができる。特に、ヘッドセット２００が一時的に使用不能になった場合は、車を停車して電話をかけ直すといった手間を省けるため、利便性が向上する。
【００８０】
更に、本実施形態に係る携帯電話機によれば、ヘッドセット・モードでの通話中に制御部１１３においてヘッドセット２００が使用不能と判定された場合、ヘッドセット２００が使用不能になったために通話を終了する旨の通知が通話相手に送信される。これにより、通話相手は状況を明確に把握できるため、通話の終了に戸惑わなくて済む。
【００８１】
また、本実施形態に係る携帯電話機によれば、ヘッドセット・モードでの通話中に制御部１１３においてヘッドセット２００が使用不能と判定された場合、通話の終了に関する所定の音声が拡声スピーカ１０６から出力される。これにより、携帯電話機のユーザは通話モードの変更を明確に把握することができるため、通話の終了に戸惑わなくて済む。その上、通話が終了したことが明確になれば、状況を把握できずに混乱することがなくなるため、車を停めて通話を再開するなどの適切な行動を起こし易くなる。
【００８２】
しかも、本実施形態に係る携帯電話機によれば、制御部１１３において運転中と判定される場合や、入力部１０２において運転中を示す所定の入力がされていることを条件として、自動的な通話の終了や自動的な発呼が行われる。
これにより、車の運転を行っていないときに、ユーザの意図に反して自動的に通話が終了したり自動的に発呼が行われたりすること回避できる。
【００８３】
＜第３の実施形態＞
次に、本発明の第３の実施形態について説明する。
本実施形態に係る携帯電話機では、ヘッドセットが使用不能になると自動的に通話が保留される。
【００８４】
本実施形態に係る携帯電話機も、制御部１１３を除いて上述した各実施形態に係る携帯電話機と同様の構成を有しているため、ここでは本実施形態に係る制御部１１３についてのみ説明する。
【００８５】
制御部１１３は、ヘッドセット・モードでの通話中に制御部１１３においてヘッドセット２００が使用不能と判定された場合、通話を保留する。
【００８６】
また、制御部１１３は、ヘッドセット・モードでの通話中に制御部１１３においてヘッドセット２００が使用不能と判定されて通話を保留しているとき、制御部１１３においてヘッドセット２００が再び使用可能になったと判定されると、保留を解除する。
【００８７】
また、制御部１１３は、ヘッドセット２００が使用不能と判定されることにより通話を保留してから所定の時間保留が続いた場合、通話を終了する。
【００８８】
ただし、制御部１１３は、ヘッドセット２００の使用可能状態の判定結果に応じて行う通話の自動保留通話の自動終了を、ユーザが車の運転中である場合に限って行う。
ユーザが車の運転中であるか否かの判断方法は、先に説明した第１の実施形態に係る制御部１１３と同様である。
例えば、制御部１１３において運転中であると判定される場合や、ユーザが車の運転中であることを示す所定の入力が入力部１０２に入力されている場合、制御部１１３は車の運転が行われていると判断して、ヘッドセット２００の使用可能状態の判定結果に応じた通話の自動保留、通話の自動終了を行う。
【００８９】
更に、制御部１１３は、ヘッドセット・モードでの通話中に制御部１１３においてヘッドセット２００が使用不能と判定された場合、ヘッドセット２００が使用不能になったことに関する所定の通知を通話相手に送信する。
【００９０】
また、制御部１１３は、ヘッドセット２００の使用可能状態の判定結果に応じて通話を保留する場合、通話の保留に関する所定の音声を拡声スピーカ１０６から出力する。
【００９１】
ここで、上述した構成を有する本実施形態に係る携帯電話機の動作について、図４に示すフローチャートを参照して説明する。
【００９２】
制御部１１３は、ヘッドセット・モードにおいて通話を行っているとき、入力部１０２に設けられた所定の終話ボタンの押下を監視する（ステップＳＴ３０１）。終話ボタンが押下されると、制御部１１３は所定の終話処理を実行して通話を終了する（ステップＳＴ３０２）。
【００９３】
また、制御部１１３は、ヘッドセット・モードにおいて通話を行っているとき、制御部１１３において運転中と判定されるならば、ヘッドセット２００の使用可能状態の判定結果を監視する（ステップＳＴ３０３）。
【００９４】
ヘッドセット２００が使用不能になったと制御部１１３が判定すると、制御部１１３は、通話相手に通話の保留を通知するための所定の音声データをメモリ１１１から読み出し、音声処理部１０５において処理し、通信部１０９から通話相手へ送信する（ステップＳＴ３０４）。これにより、例えば「ヘッドセットが外れましたので通話を保留します。しばらくお待ちください。」といったアナウンスが通話相手に対してなされる。
更に、制御部１１３は、ユーザに通話の保留を通知するための所定の音声データをメモリ１１１から読み出し、音声処理部１０５において処理し、拡声スピーカ１０６から出力する（ステップＳＴ３０５）。これにより、例えば「ヘッドセットが外れましたので通話を保留します。」といったアナウンスが拡声スピーカ１０６から出力される。
このようなアナウンスを行って、制御部１１３は通話を保留する（ステップＳＴ３０６）。
【００９５】
制御部１１３は、通話を保留しているとき、入力部１０２に設けられた所定の終話ボタンの押下を監視する（ステップＳＴ３０７）。終話ボタンが押下されると、制御部１１３は所定の終話処理を実行して通話を終了する（ステップＳＴ３０８）。
【００９６】
また、制御部１１３は、通話を保留しているとき、入力部１０２に設けられた所定の通話開始ボタンの押下を監視する（ステップＳＴ３１１）。通話開始ボタンが押下されると、制御部１１３は保留を解除して、通話モードをハンドセット・モードに切り替える（ステップＳＴ３１２）。そして、ハンドセット・モードにおいて終話ボタンの押下を監視し（ステップＳＴ３１３）、終話ボタンが押下されると、所定の終話処理を実行して通話を終了する（ステップＳＴ３０８）。
【００９７】
更に、制御部１１３は、通話を保留しているとき、保留開始から所定時間が経過したか監視する（ステップＳＴ３１４）。保留開始から所定時間が経過し、制御部１１３において運転中と判定されるならば、所定の終話処理を実行して通話を終了する（ステップＳＴ３０８）。
【００９８】
ステップ３０８において通話を終了すると、制御部１１３は、通話モードを例えばドライブ・モードまたはハンズフリー・モードに切り替える（ステップＳＴ３０９）。そして、通話モードの切替えをユーザに通知するための所定の音声データをメモリ１１１から読み出し、音声処理部１０５において処理し、拡声スピーカ１０６から出力する（ステップＳＴ３１０）。
【００９９】
他方、制御部１１３は、通話を保留しているとき、制御部１１３において運転中と判定されるならば、ヘッドセット２００の使用可能状態の判定結果を監視する（ステップＳＴ３１５）。
ヘッドセット２００が使用可能（接続回復）になったと制御部１１３が判定すると、制御部１１３は保留を解除する（ステップＳＴ３１６）。このとき制御部１１３は、保留を解除することをユーザに通知するための所定の音声データをメモリ１１１から読み出し、音声処理部１０５において処理し、拡声スピーカ１０６から出力する（ステップＳＴ３１７）。これにより、例えば「ヘッドセットとの通信が回復しましたので、保留を解除します。」といった保留解除のアナウンスが拡声スピーカ１０６から出力される。
【０１００】
ヘッドセット・モードに戻ると、制御部１１３は引き続き終話ボタンの押下やヘッドセット２００の使用可能状態の判定結果を監視し、上記の処理を繰り返す。
【０１０１】
以上説明したように、本実施形態に係る携帯電話機によれば、ヘッドセット・モードでの通話中に制御部１１３においてヘッドセット２００が使用不能と判定された場合、通話が自動的に保留されるため、ユーザが携帯電話機を直接手で操作することを未然に防ぐことができる。また、ユーザが車の運転中であれば、車を停めて携帯電話機を操作するまでの間、携帯電話機に触れることなく通話を保留することができるため、安全性を確保しつつ通話を継続することができる。
【０１０２】
更に、本実施形態に係る携帯電話機によれば、制御部１１３においてヘッドセット２００が使用不能と判定されることにより通話が保留されてから所定の時間保留が続いた場合、通話が自動的に終了するため、電話の切り忘れを防止し、長時間の保留による課金を抑えることができる。
【０１０３】
また、本実施形態に係る携帯電話機によれば、ヘッドセット・モードでの通話中に制御部１１３においてヘッドセット２００が使用不能と判定された後、制御部２００においてヘッドセット２００が再び使用可能になったと判定されると、保留が解除される。
これにより、ヘッドセット２００が使用可能な状態に復帰したとき、携帯電話機に触れることなく自動的に通話を再開できる。特に、一時的な通信の不良によってヘッドセット２００が使用不能になる場合は、いちいち車を停車させて手動によりヘッドセット・モードに設定し直す手間を省くことができるため、利便性が向上する。
【０１０４】
更に、本実施形態に係る携帯電話機によれば、ヘッドセット・モードでの通話中に制御部１１３においてヘッドセット２００が使用不能と判定された場合、ヘッドセット２００が使用不能になったために通話を保留する旨の通知が通話相手に送信される。これにより、通話相手は状況を明確に把握できるため、通話の保留に戸惑わなくて済む。
【０１０５】
また、本実施形態に係る携帯電話機によれば、ヘッドセット・モードでの通話中に制御部１１３においてヘッドセット２００が使用不能と判定された場合、通話の保留に関する所定の音声が拡声スピーカ１０６から出力される。これにより、携帯電話機のユーザは通話が保留されたことを明確に把握することができるため、通話の保留に戸惑わなくて済む。その上、通話が保留されたことが明確になれば、状況を把握できずに混乱することがなくなるため、車を停めて通話を再開するなどの適切な行動を起こし易くなる。
【０１０６】
しかも、本実施形態に係る携帯電話機によれば、制御部１１３において運転中と判定される場合や、入力部１０２において運転中を示す所定の入力が入力されていることを条件として、自動的な通話の保留、自動的な通話の終了が行われる。
これにより、車の運転を行っていないときに、ユーザの意図に反して自動的に通話が保留されたり、自動的に通話モードが切り替わったり、自動的に通話が終了したりすることを回避できる。
【０１０７】
なお図４の例において、制御部１１３は、ステップＳＴ３１４で保留開始から一定時間経過したと判定した場合にステップＳＴ３０８へ移行して通話を終了しているが、通話を終了する際にその旨を通話相手へ通知しても良い。
【０１０８】
また、制御部１１３は、ステップＳＴ３０８において通話を終了した後、制御部１１３においてヘッドセット２００が再び使用可能になったと判定された場合に、終了した通話の相手方に発呼しても良い。これにより、ユーザが携帯電話機を直接手で操作することなく、自動的に通話を再開することができ、利便性が向上する。
【０１０９】
＜第４の実施形態＞
次に、本発明の第４の実施形態について説明する。
本実施形態に係る携帯電話機では、ヘッドセットが使用不能になることによって通話が保留されたときに、例えば車を停止させることによって携帯電話機の移動が止まると、ハンドセット・モードまたはハンズフリー・モードへ自動的に通話モードが切り替わる。
【０１１０】
本実施形態に係る携帯電話機は、運転状態検出部１１２と制御部１１３を除いて上述した各実施形態に係る携帯電話機と同様の構成を有しているため、ここでは本実施形態に係る運転状態検出部１１２および制御部１１３についてのみ説明する。
【０１１１】
運転状態検出部１１２は、携帯電話機のユーザが車の運転中であることに関連する携帯電話機の状態として、特に携帯電話機の移動状態を検出する。
運転状態検出部１１２は、例えば上述した加速度センサや、ハンドオフ回数計数部、移動速度検出部などを有する。
【０１１２】
制御部１１３は、ヘッドセット・モードでの通話中に制御部１１３においてヘッドセット２００が使用不能と判定された場合、通話を保留する。また、この保留を行う際、ヘッドセット２００が使用不能になったために通話を保留する旨の通知を通話相手に送信するとともに、通話の保留に関する所定の音声を拡声スピーカ１０６から出力する。
ただし、制御部１１３において運転中でないと判定された場合、制御部１１３は、上記の保留を行わずに、通話モードをハンドセット・モードに切り替える。
【０１１３】
また、制御部１１３は、上記の保留中に制御部１１３においてヘッドセット２００が再び使用可能になったと判定されると、通話モードをヘッドセット・モードに切り替えて保留を解除する。
【０１１４】
他方、制御部１１３は、上記の通話保留中に制御部１１３において運転中でないと判定された場合は、通話モードをハンドセット・モードまたはハンズフリー・モードに切り替える。
【０１１５】
ここで、上述した構成を有する本実施形態に係る携帯電話機の動作について、図５に示すフローチャートを参照して説明する。
【０１１６】
制御部１１３は、ヘッドセット・モードにおいて通話を行っているとき、入力部１０２に設けられた所定の終話ボタンの押下を監視する（ステップＳＴ４０１）。終話ボタンが押下されると、制御部１１３は所定の終話処理を実行して通話を終了する（ステップＳＴ４０２）。
【０１１７】
また、制御部１１３は、ヘッドセット・モードにおいて通話を行っているとき、ヘッドセット２００の使用可能状態の判定結果を監視する（ステップＳＴ４０３）。
【０１１８】
制御部１１３においてヘッドセット２００の使用不能が判定された場合、もし制御部１１３においてユーザの車が運転中でないと判定されているならば（ステップＳＴ４０４）、制御部１１３は通話モードをハンドセット・モードに切り替える（ステップＳＴ４１３）。
【０１１９】
他方、ヘッドセット２００が使用不能になった場合、もし制御部１１３においてユーザの車が運転中と判定されているならば（ステップＳＴ４０４）、制御部１１３は通話の保留を行う。
すなわち、制御部１１３は、通話相手に通話の保留を通知するための所定の音声データをメモリ１１１から読み出し、音声処理部１０５において処理し、通信部１０９から通話相手へ送信する（ステップＳＴ４０５）。これにより、例えば「運転中にヘッドセットが外れましたので通話を保留します。停車するまでしばらくお待ちください。」といったアナウンスが通話相手に対してなされる。
また、制御部１１３は、ユーザに通話の保留を通知するための所定の音声データをメモリ１１１から読み出し、音声処理部１０５において処理し、拡声スピーカ１０６から出力する（ステップＳＴ４０６）。これにより、例えば「ヘッドセットが外れましたので通話を保留します。停車して下さい。」といったアナウンスが拡声スピーカ１０６から出力される。
このようなアナウンスを行って、制御部１１３は通話を保留する（ステップＳＴ３０６）。
【０１２０】
制御部１１３は、通話を保留しているとき、ヘッドセット２００の使用可能状態の判定結果を監視する（ステップＳＴ４０８）。
ヘッドセット２００が使用可能（接続回復）になったと制御部１１３が判定すると、制御部１１３は保留を解除する（ステップＳＴ４０９）。このとき制御部１１３は、保留を解除することをユーザに通知するための所定の音声データをメモリ１１１から読み出し、音声処理部１０５において処理し、拡声スピーカ１０６から出力する（ステップＳＴ４１０）。これにより、例えば「ヘッドセットとの通信が回復しましたので、保留を解除します。」といった保留解除のアナウンスが拡声スピーカ１０６から出力される。
保留解除すると、制御部１１３は上述したステップＳＴ４０１、ＳＴ４０３の処理を繰り返す。
【０１２１】
また、制御部１１３は、通話を保留しているとき、入力部１０２に設けられた所定の終話ボタンの押下を監視する（ステップＳＴ４１１）。終話ボタンが押下されると、制御部１１３は所定の終話処理を実行して通話を終了する（ステップＳＴ４１６）。
【０１２２】
更に、制御部１１３は、通話を保留しているとき、例えばユーザが車を停車させることによって、制御部１１３において運転中でないとの判定がなされると、通話モードをハンドセット・モードに切り替える（ステップＳＴ４１３）。
【０１２３】
ステップＳＴ４１３においてハンドセット・モードへの切替えを行うと、制御部１１３は、その旨を通知するための所定の音声データをメモリ１１１から読み出し、音声処理部１０５において処理し、拡声スピーカ１０６から出力する（ステップＳＴ４１４）。
ハンドセット・モードにおいて通話を行っているとき、制御部１１３は、終話ボタンの押下を監視し（ステップＳＴ４１５）、終話ボタンが押下されたならば所定の終話処理を実行して通話を終了する（ステップＳＴ４１６）。
【０１２４】
ステップＳＴ４１６において通話を終了すると、制御部１１３は、通話モードを例えばドライブ・モードまたはハンズフリー・モードに切り替える（ステップＳＴ４１７）。そして、通話モードの切替えをユーザに通知するための所定の音声データをメモリ１１１から読み出し、音声処理部１０５において処理し、拡声スピーカ１０６から出力する（ステップＳＴ４１８）。
【０１２５】
以上説明したように、本実施形態に係る携帯電話機によれば、ヘッドセットが使用不能になることによって通話が保留されたとき、例えばユーザが車を停止させることによって携帯電話機の移動が止まると、運転中でないとの判定（若しくは車が停止したとの判定）がなされて、ハンドセット・モードまたはハンズフリー・モードへ自動的に通話モードが切り替わる。これにより、たとえ運転中にヘッドセットが使用不能になっても、単に車を停止させるだけで、携帯電話機に手を触れることなく容易に通話を再開することができる。
【０１２６】
また、本実施形態に係る携帯電話機によれば、通話の保留中にヘッドセット２００が再び使用可能になると、保留が解除されて、利便性が向上する。
【０１２７】
更に、本実施形態に係る携帯電話機によれば、ヘッドセット２００が使用不能になり通話が保留されると、その旨の通知が通話相手に送信されるため、通話相手が状況を明確に把握できる。また、この場合、通話が保留される旨の音声が拡声スピーカ１０６から出力されるため、ユーザも状況を明確に把握できる。
【０１２８】
なお、制御部１１３は、保留が所定時間続いたら通話を終了しても良い。すなわち、制御部１１３においてヘッドセット２００が使用不能と判定されることにより通話を保留してから所定の時間保留が続いた場合、通話を終了しても良い。これにより、電話の切り忘れを防止し、長時間の保留による課金を抑えることができる。
【０１２９】
＜第５の実施形態＞
次に、本発明の第５の実施形態について説明する。
上述した実施形態は通話時の動作に関するものであるが、本実施形態は待ち受け時の動作に関するものである。すなわち、ヘッドセット・モードにおいて着信を待ち受けているときにヘッドセットが使用不能と判定された場合、ハンズフリー・モードまたはドライブ・モードに通話モードを切り替える。
なお、本実施形態に係る携帯電話機は、上述した各実施形態に係る携帯電話機の待ち受け時の動作を規定したものであり、これらの携帯電話機と同様な構成を有する。
【０１３０】
図６は、本実施形態に係る携帯電話機の待ち受け時における処理の一例を示すフローチャートである。
【０１３１】
ヘッドセット・モードにおいて無線方式のヘッドセット２００と携帯電話機１００との通信が開始すると、制御部１１３は、入力部１０２にヘッドセット・モードの解除を指示する所定の入力操作がなされたかを監視する（ステップＳＴ５０１）。入力操作によってヘッドセット・モードの解除が指示されたと判定した場合、制御部１１３は、ヘッドセット通信部１０３を制御してヘッドセット２００との無線通信を停止する。
【０１３２】
また、制御部１１３は、ヘッドセット２００の使用可能状態の判定結果を監視し（ステップＳＴ５０２）、ヘッドセット２００が使用不能になったとの判定がなされた場合は、通話モードをハンズフリー・モードまたはドライブ・モードに設定する（ステップＳＴ５０３）。そして、通話モードが切り替わったことをユーザに通知するための所定の音声データをメモリ１１１から読み出し、音声処理部１０５において処理し、拡声スピーカ１０６から出力する（ステップＳＴ５０４）。
【０１３３】
通話モードの変更後、制御部１１３は引き続きヘッドセット２００の使用可能状態の判定結果を監視し（ステップＳＴ５０５）、ヘッドセット２００が再び使用可能（接続回復）になったとの判定がなされた場合は、通話モードを再びヘッドセット・モードに戻す（ステップＳＴ５０６）。そして、通話モードをヘッドセット・モードに戻したことをユーザに通知するための所定の音声データをメモリ１１１から読み出し、音声処理部１０５において処理し、拡声スピーカ１０６から出力する（ステップＳＴ５０７）。
【０１３４】
以上説明したように、本実施形態に係る携帯電話機によれば、ヘッドセット・モードにおいて着信を待ち受けているときにヘッドセットが使用不能と判定されると、通話モードがハンズフリー・モードまたはドライブ・モードに自動的に切り替わる。そのため、ヘッドセット２００が使用不能になっているにも関わらず、ユーザがヘッドセット・モードにおいて待ち受け中であると勘違いして着信を取り忘れてしまうことを防止できる。
【０１３５】
また、ヘッドセット２００が使用不能になるために通話モードが切り替わる場合、その旨を通知する音声が拡声スピーカ１０６において出力されるため、ユーザは状況を明確に把握することができる。
【０１３６】
以上、本発明の幾つかの実施形態について説明したが、本発明は上記の形態にのみ限定されるものではなく、種々のバリエーションを含んでいる。
【０１３７】
例えば、上述した実施形態では、無線方式のヘッドセットが接続される例を挙げているが、これに限らず、本発明では有線方式のヘッドセットが接続されても良い。有線接続における接続に支障が生じる場合とは、例えばヘッドセットのケーブル端子が携帯電話機の接続端子から外れることや、断線することでヘッドセットから音声の入出力ができない使用不能状態になる。この使用不能状態は、例えば、無線方式と同様に定期的な確認信号の応答を調べることによって検出しても良いし、携帯電話機の接続端子において電流が流れないことにより検出しても良い。
【０１３８】
また、上記実施形態においてヘッドセットの使用不可能状態を検出してから所定時間経過した後にモード変更、保留などの処理を行うことが好ましい。これにより、ヘッドセットとの瞬断や断続に対して携帯電話機の動作が敏感に追従しなくなり、頻繁なモード変更動作を抑えることが出来る。
【０１３９】
なお、上記実施形態において「ヘッドセット」を一実施例として説明を行ってきたが、本発明のハンズフリー通話を可能にする外部機器の技術思想は、携帯電話機と有線方式または無線方式により接続して携帯電話機による通話を行うことが可能な装置である。例えば、所謂ハンズフリー・キットなども含むものである。また、携帯電話機のインターフェース（端子）に無線送受信アダプタ（例えばBlueToothアダプタ）を装着することにより無線方式による通話を可能にするものも含むものである。この無線送受信アダプタの場合、モード切替指示や接続状態を無線送受信アダプタから受けて携帯電話機がモード切替動作をするようにしても良い。
【０１４０】
上述した実施形態に係る携帯電話機において、制御部１１３は、プログラムに従って処理を実行するコンピュータでも良いし、その少なくとも一部をハードウェアで構成しても良い。また、制御部１１３の他のユニットの処理は、その少なくとも一部を制御部１１３のコンピュータにおいて実行しても良い。更に、制御部１１３の処理は１つのコンピュータで実行しても良いし、複数のコンピュータで並列に実行しても良い。
【図面の簡単な説明】
【０１４１】
【図１】本発明の実施形態に携帯電話機の構成の一例を示す図である。
【図２】第１の実施形態に係る携帯電話機における通話時の動作の一例を示すフローチャートである。
【図３】第２の実施形態に係る携帯電話機における通話時の動作の一例を示すフローチャートである。
【図４】第３の実施形態に係る携帯電話機における通話時の動作の一例を示すフローチャートである。
【図５】第４の実施形態に係る携帯電話機における通話時の動作の一例を示すフローチャートである。
【図６】第５の実施形態に係る携帯電話機における待ち受け時の動作の一例を示すフローチャートである。
【図７】一般的な携帯電話機における通話時の動作の一例を示すフローチャートである。
【符号の説明】
【０１４２】
１００…携帯電話機、１０１…表示部、１０２…入力部、１０３…ヘッドセット通信部、１０４，１１０…アンテナ、１０５…音声処理部、１０６…拡声スピーカ、１０７…イヤースピーカ、１０８…マイクロフォン、１０９…通信部、１１１…メモリ、１１２…運転状態検出部、１１３…制御部、１１３…制御部、１１３…制御部、１１６…通話制御部、２００…ヘッドセット、３００…基地局。
【図１】
2007067742.tif 000003
【図２】
2007067742.tif 000004
【図３】
2007067742.tif 000005
【図４】
2007067742.tif 000006
【図５】
2007067742.tif 000007
【図６】
2007067742.tif 000008
【図７】
2007067742.tif 000009